(57)【特許請求の範囲】
【請求項１】
マガジンを支持する底板部と、前記底板部の左右両端部からそれぞれ起立する左右一対の側板部と、を有し、
前記側板部の各々は、前記底板部に対して起立した状態と、前記底板部に対して折り畳まれた状態と、に変換可能に、前記底板部に対して連結され、
一対の前記側板部が前記底板部に対して起立した状態で、前記底板部の前端部と一対の前記側板部の前端部とに沿って固定される前側固定枠を有し、
前記前側固定枠が固定されることにより、一対の前記側板部が前記底板部に対して折り畳まれる方向へ挙動することが規制されており、
前記前側固定枠には、その背面側に開口する凹部が形成され、
一対の前記側板部の前端部と、前記底板部の前端部には、それぞれ、前方に突出する突出部が形成され、
一対の前記側板部の前記突出部と、前記底板部の前記突出部とを、前記前側固定枠の前記凹部内に嵌め込むことにより、前記前側固定枠が一対の前記側板部の前端部と前記底板部の前端部とに沿って固定されることを特徴とする商品収納装置。
【請求項２】
前記側板部は、前記底板部に対して第１ヒンジ機構を介して連結されていることを特徴とする請求項１に記載の商品収納装置。
【請求項３】
前記側板部の下端部と、前記底板部と、の何れか一方に形成された第１差込部と、
前記側板部の下端部と、前記底板部と、の何れか他方に形成された第１差込穴と、
を含む第１差込構造を有し、
前記側板部が前記底板部に対して起立した状態で、前記側板部を前記底板部に対して相対的に下降させることにより、前記第１差込部が前記第１差込穴に差し込まれ、前記側板部が前記底板部に対して折り畳まれる方向へ挙動することが規制されることを特徴とする請求項２に記載の商品収納装置。
【請求項４】
前記第１ヒンジ機構は、
前記第１差込部と、
前記第１差込穴と連続的に形成され、前記第１差込部を軸支する軸支穴と、
を含んで構成されていることを特徴とする請求項３に記載の商品収納装置。
【請求項５】
前記底板部は、
平板状に形成され水平に配置される本体部と、
前記本体部の左右両端部からそれぞれ起立している左右一対の起立壁部と、
を有し、
前記第１差込部は、前記側板部の下端部に形成され、
前記第１差込穴は、上向きに開口した形状に前記起立壁部に形成され、
前記側板部の各々は、前記起立壁部の上に起立した状態と、前記本体部上に重なるように折り畳まれた状態と、に変換可能に、前記起立壁部に対して前記第１ヒンジ機構を介して連結され、
前記第１ヒンジ機構は、前記起立壁部において前記第１差込穴の上部の一側部に形成された切欠形状部を更に有し、
前記側板部が前記底板部に対して折り畳まれた際に、前記第１差込部が前記切欠形状部内に入り込み、
前記側板部が前記底板部に対して折り畳まれた状態の複数の前記商品収納装置を上下に積み重ねたときに、下側の前記商品収納装置の前記起立壁部の上面に、上側の前記商品収納装置の下面が接触することを特徴とする請求項３又は４に記載の商品収納装置。
【請求項６】
前記側板部の下端部に形成された第２差込部と、
上向きに開口した形状に前記起立壁部に形成された第２差込穴と、
を含む第２差込構造を有し、
前記側板部が前記底板部に対して起立した状態で、前記側板部を前記底板部に対して相対的に下降させることにより、前記第２差込部が前記第２差込穴に差し込まれ、前記側板部が前記底板部に対して折り畳まれる方向へ挙動することが規制され、
前記起立壁部における前記第２差込穴の一側部の高さが、前記切欠形状部の下端部の高さよりも高いことを特徴とする請求項５に記載の商品収納装置。
【請求項７】
前記底板部の後端部から起立する背板部を有し、
前記背板部は、前記底板部に対して起立した状態と、前記底板部に対して折り畳まれた状態と、に変換可能に、前記底板部に対して連結されていることを特徴とする請求項１乃至６の何れか一項に記載の商品収納装置。
【請求項８】
前記背板部は、前記底板部に対して第２ヒンジ機構を介して連結されていることを特徴とする請求項７に記載の商品収納装置。
【請求項９】
前記底板部は、
平板状に形成され水平に配置される本体部と、
前記本体部の左右両端部からそれぞれ起立している左右一対の起立壁部と、
を有し、
前記背板部は、前記底板部の前記本体部に対して起立した状態と、前記本体部の上に重なるように折り畳まれた状態と、に変換可能に、前記本体部に対して前記第２ヒンジ機構を介して連結され、
前記側板部の各々は、前記起立壁部の上に起立した状態と、前記本体部及び前記背板部の上に重なるように折り畳まれた状態と、に変換可能に、前記起立壁部に対して第１ヒンジ機構を介して連結され、
前記第１ヒンジ機構の回動軸は、前記第２ヒンジ機構の回動軸よりも高い位置に配置され、前記背板部を前記本体部に対して平行に折り畳み可能であるとともに、前記側板部を前記本体部に対して平行に折り畳み可能であることを特徴とする請求項８に記載の商品収納装置。
【請求項１０】
前記側板部には第１係合部が形成され、
前記背板部には第２係合部が形成され、
前記側板部が起立し、且つ、前記背板部が起立した状態で、前記第１係合部と前記第２係合部とが相互に係合し、前記背板部の後傾が規制されることを特徴とする請求項７乃至９の何れか一項に記載の商品収納装置。
【請求項１１】
前記第１係合部は、一対の前記側板部の互いに対向する部位の後端部にそれぞれ形成された係合爪であり、
前記第２係合部は、後方に向けて開口するように前記背板部に形成された係合穴であり、
一対の前記側板部を前記底板部に対して起立させた状態で、前記背板部を起立させることにより、前記係合爪が前記係合穴に対して係合することを特徴とする請求項１０に記載の商品収納装置。
【請求項１２】
前記背板部の背面には、前記背板部及び前記側板部が前記底板部に対して折り畳まれた状態で前記係合爪を収容する収容凹部が形成されていることを特徴とする請求項１１に記載の商品収納装置。
【請求項１３】
前記商品収納装置は、複数の前記商品収納装置を組み立てた状態で上下に積み重ね可能に構成され、
前記商品収納装置の上端部には第３係合部が形成され、
前記商品収納装置の下端部には第４係合部が形成され、
複数の前記商品収納装置を上下に積み重ねたときに、下側の前記商品収納装置の前記第３係合部が、その上側に隣接する前記商品収納装置の前記第４係合部と係合することにより、上下に隣接する前記商品収納装置が互いに水平方向に位置決めされることを特徴とする請求項１乃至１２の何れか一項に記載の商品収納装置。
【請求項１４】
横隣に配置された前記商品収納装置を相互に連結するための連結部を有し、
前記連結部は、
前記側板部を左右に貫通するように形成された貫通穴と、
横方向に隣り合う前記商品収納装置の前記側板部の前記貫通穴を貫通するようにして取り付けられ、これら側板部を相互に連結する連結具と、
を有することを特徴とする請求項１乃至１３の何れか一項に記載の商品収納装置。
【発明の詳細な説明】
【技術分野】
【０００１】
本発明は、複数の商品が搭載されるマガジンを収納する商品収納装置に関する。
【背景技術】
【０００２】
コンビニエンスストアなどの店舗では、様々な商品が商品収納装置に収容されている。
【０００３】
様々な商品のうち、例えばたばこ商品などの特定の商品を収納するための商品収納装置は、電子キャッシュレジスタなどの販売処理装置が載置されたレジカウンタ上又はその周辺に配置されることが一般的である。
【０００４】
なお、ここで云うたばこ商品とは、実際に喫煙される紙巻たばこではなく、複数の紙巻たばこを収容している直方体状のパッケージ、および複数のパッケージを収容しているカートン（或いはパーセル）を意味している。
【０００５】
複数の商品が搭載されたマガジンを収納する商品収納装置としては、例えば、特許文献１に記載のもの（同文献の商品陳列装置）がある。特許文献１の装置は、正面形状が矩形状の枠体と、上方に向けて開口した箱形のトレイと、を有している。特許文献１の装置では、複数のトレイが上下に所定間隔で枠体によって保持され、各トレイ上にマガジン（同文献の個別トレー）が搭載される。
【先行技術文献】
【特許文献】
【０００６】
【特許文献１】特開２００７−３０７２４４号公報
【発明の概要】
【発明が解決しようとする課題】
【０００７】
しかしながら、特許文献１の商品収納装置を使用しない場合には、トレイや枠体が嵩張ってしまう。
【０００８】
本発明は、上述のような課題に鑑みてなされたものであり、使用しない状態での嵩張りを抑制することができる商品収納装置を提供する。
【課題を解決するための手段】
【０００９】
本発明は、マガジンを支持する底板部と、前記底板部の左右両端部からそれぞれ起立する左右一対の側板部と、を有し、
前記側板部の各々は、前記底板部に対して起立した状態と、前記底板部に対して折り畳まれた状態と、に変換可能に、前記底板部に対して連結され、
一対の前記側板部が前記底板部に対して起立した状態で、前記底板部の前端部と一対の前記側板部の前端部とに沿って固定される前側固定枠を有し、
前記前側固定枠が固定されることにより、一対の前記側板部が前記底板部に対して折り畳まれる方向へ挙動することが規制されており、
前記前側固定枠には、その背面側に開口する凹部が形成され、
一対の前記側板部の前端部と、前記底板部の前端部には、それぞれ、前方に突出する突出部が形成され、
一対の前記側板部の前記突出部と、前記底板部の前記突出部とを、前記前側固定枠の前記凹部内に嵌め込むことにより、前記前側固定枠が一対の前記側板部の前端部と前記底板部の前端部とに沿って固定されることを特徴とする商品収納装置を提供する。
【００１０】
この商品収納装置によれば、底板部と、底板部の左右両端部からそれぞれ起立する左右一対の側板部と、を有しているので、底板部上にマガジンを搭載することによって、マガジンを収納することができる。
また、側板部の各々は、底板部に対して起立した状態と、底板部に対して折り畳まれた状態と、に変換可能に、底板部に対して連結されているので、商品収納装置を使用しない場合には、側板部を底板部に対して折り畳んだ状態とすることによって、商品収納装置の嵩張りを抑制することができる。
よって、商品収納装置の搬送時（例えば、トラックに積載して搬送するときなど）や、商品収納装置の保管時に、商品収納装置の省スペース化が可能である。
【発明の効果】
【００１１】
本発明によれば、商品収納装置を使用しない状態での嵩張りを抑制することができる。
【図面の簡単な説明】
【００１２】
【図１】実施形態に係る商品収納装置の本体部を折り畳んだ状態を示す図であり、このうち（ａ）は平面図、（ｂ）は正面図、（ｃ）は側面図である。
【図２】実施形態に係る商品収納装置の本体部の組み立て動作を示す一連の正面図である。
【図３】実施形態に係る商品収納装置の本体部に前側固定枠を組み付けた状態を示す図であり、このうち（ａ）は平面図、（ｂ）は正面図、（ｃ）は側面図である。
【図４】実施形態に係る商品収納装置の本体部に前側固定枠を組み付けた状態を示す図であり、このうち（ａ）は背面図、（ｂ）は底面図である。
【図５】実施形態に係る商品収納装置の本体部に前側固定枠と天板とを組み付けた状態を示す図であり、このうち（ａ）は正面図、（ｂ）は側面図である。
【図６】図６（ａ）は図５（ａ）のＡ−Ａ線に沿った矢視断面図、図６（ｂ）は図５（ａ）のＢ−Ｂ線に沿った矢視断面図である。
【図７】実施形態に係る商品収納装置の側板部と底板部との連結構造を示す要部拡大の斜視図である。
【図８】実施形態に係る商品収納装置の側板部と底板部との連結構造を示す要部拡大の分解斜視図である。
【図９】実施形態に係る商品収納装置の背板部と底板部との連結構造を示す要部拡大の背面図である。
【図１０】実施形態に係る商品収納装置の側板部と背板部との係合構造を示す斜視図である。
【図１１】図１０の係合構造の係合爪と、この係合爪を収容する収容凹部と、を示す斜視図である。
【図１２】実施形態に係る商品収納装置の前側固定枠を示す図であり、このうち（ａ）は正面図、（ｂ）は背面図、（ｃ）は平面図である。
【図１３】実施形態に係る商品収納装置の側面パネルを示す斜視図である。
【図１４】実施形態に係る商品収納装置を上下方向に積み重ねた状態を示す図であり、このうち（ａ）は正面図、（ｂ）は側面図、（ｃ）は（ａ）のＣ−Ｃ線に沿った矢視断面図である。
【図１５】実施形態に係る商品収納装置の連結具を示す図である。
【図１６】実施形態に係る商品収納装置を連結具によって横方向に連結した状態を示す平断面図である。
【図１７】実施形態に係る商品収納装置の底板部上に搭載されるマガジンの一例を示す図である。
【図１８】実施形態に係る商品収納装置の底板部上に複数のマガジンを搭載した状態を示す模式的な平面図である。
【発明を実施するための形態】
【００１３】
以下、本発明の実施形態について、図面を用いて説明する。なお、すべての図面において、同様の構成要素には同一の符号を付し、適宜に説明を省略する。
【００１４】
図１は実施形態に係る商品収納装置１５０（図５、図６）の本体部１００を折り畳んだ状態を示す図である。このうち（ａ）は平面図、（ｂ）は正面図、（ｃ）は側面図である。
図２は商品収納装置１５０の本体部１００の組み立て動作を示す一連の正面図である。このうち（ａ）は本体部１００が折り畳まれた状態を示し、（ｂ）は左右の側板部２０、３０がそれぞれ底板部１０に対して起立した状態を示し、（ｃ）は左右の側板部２０、３０の第１差込部５１が底板部１０に対して差し込まれた状態を示し、（ｄ）は背板部４０が底板部１０に対して起立した状態を示す。
図３及び図４は商品収納装置１５０の本体部１００に前側固定枠１１０を組み付けた状態を示す図である。このうち図３（ａ）は平面図、図３（ｂ）は正面図、図３（ｃ）は側面図（右側面図）、図４（ａ）は背面図、図４（ｂ）は底面図である。
図５及び図６は商品収納装置１５０の本体部１００に前側固定枠１１０と天板１２０とを組み付けた状態を示す図である。このうち図５（ａ）は正面図、図５（ｂ）は側面図、図６（ａ）は図５（ａ）のＡ−Ａ線に沿った矢視断面図（側断面図）、図６（ｂ）は図５（ａ）のＢ−Ｂ線に沿った矢視断面図（平断面図）である。
図７及び図８は側板部２０と底板部１０との連結構造を示す要部拡大図であり、このうち図７は斜視図、図８は分解斜視図である。
図９は背板部４０と底板部１０との連結構造を示す要部拡大の背面図である。
図１０は側板部２０と背板部４０との係合構造を示す斜視図である。
図１１は図１０の係合構造の係合爪２７と、この係合爪２７を収容する収容凹部４６と、を示す斜視図である。
図１２は商品収納装置１５０の前側固定枠１１０を示す図であり、このうち（ａ）は正面図、（ｂ）は背面図、（ｃ）は平面図である。
図１３は商品収納装置１５０の側面パネル１３０を示す斜視図である。
図１４は複数の商品収納装置１５０を上下方向に積み重ねた状態を示す図であり、このうち（ａ）は正面図、（ｂ）は側面図、（ｃ）は（ａ）のＣ−Ｃ線に沿った矢視断面図である。
図１５は商品収納装置１５０の連結具を示す図であり、このうち（ａ）はナット部材８２の側面図、（ｂ）はナット部材８２の平面図、（ｃ）はボルト部材８１の側面図、（ｂ）はボルト部材８１の平面図である。
図１６は複数の商品収納装置１５０を連結具によって横方向に連結した状態を示す平断面図である。
図１７は商品収納装置１５０の底板部１０に搭載されるマガジン７０の一例を示す図である。
図１８は商品収納装置１５０の底板部１０上に複数のマガジン７０を搭載した状態を示す模式的な平面図である。図１８において、マガジン７０は一点鎖線で示している。
【００１５】
本実施形態に係る商品収納装置１５０（図５、図６）は、例えば、折り畳み可能な本体部１００（図１、図２）と、本体部１００の前縁に固定される前側固定枠１１０（図３、図４）と、本体部１００の上端部に取り付けられる天板１２０（図５、図６（ａ））と、本体部１００の側面に取り付けられる側面パネル１３０（図１３）と、を有している。
【００１６】
図１及び図２に示すように、本体部１００は、マガジン７０（図１７）を支持する底板部１０と、底板部１０の左右両端部からそれぞれ起立する左右一対の側板部２０、３０（特に図２（ｃ）、（ｄ）参照）と、底板部１０の後端部から起立する背板部４０（特に図２（ｄ）参照）と、を有している。
側板部２０、３０の各々は、底板部１０に対して起立した状態（図２（ｂ）、（ｃ））と、底板部１０に対して折り畳まれた状態（図２（ａ）、図１）と、に変換可能に、底板部１０に対して連結されている。
背板部４０は、底板部１０に対して起立した状態（図２（ｄ））と、底板部１０に対して折り畳まれた状態（図２（ａ）、（ｂ）、（ｃ）、図１）と、に変換可能に、底板部１０に対して連結されている。
【００１７】
本体部１００は、該本体部１００が組み立てられた状態で、上方及び前方に向けて開放した箱形状となる（図２（ｄ）、図３参照）。本体部１００は、左右対称に形成されている。
【００１８】
本体部１００を組み立てた状態で該本体部１００上に天板１２０を取り付けることにより、本体部１００の上端部が閉塞される（図５、図６（ａ））。よって、商品収納装置１５０は前方に向けて開放した箱形状となる。
或いは、本体部１００の上に他の商品収納装置１５０の本体部１００を積み重ねることによっても、本体部１００の上端部を閉塞することができる（図１４の商品収納装置１５０ｂを参照）。
【００１９】
底板部１０は、平板状に形成され水平に配置される本体部１１と、本体部１１の左右両端部からそれぞれ起立している左右一対の起立壁部１２、１３と、を有している。
底板部１０は、左右対称に形成されている。
【００２０】
本体部１１の平面形状は、例えば、矩形状となっている。
【００２１】
起立壁部１２、１３は、平板状に形成され、その板面が左右方向を向き、且つ、互いに平行に対向している。起立壁部１２と起立壁部１３は、互いに左右対称に形成されている。起立壁部１２、１３の側面形状は、矩形状（例えば前後に長い長方形状）となっている（図１（ｃ）参照）。起立壁部１２は、本体部１１の左端部に沿って前後に延在し、起立壁部１３は、本体部１１の右端部に沿って前後に延在している。
【００２２】
本体部１１の上面には、複数のブレード溝１５が形成されている（図１（ａ））。ブレード溝１５は、それぞれ前後方向に延在している。これらブレード溝１５に、マガジン７０の下面側に形成されたブレード７２（図１７）が入り込むことによって、マガジン７０が底板部１０に対して位置決めされる。
【００２３】
本体部１１の下面には、複数の補強リブ１６が形成されている（図４（ｂ））。これら補強リブ１６には、例えば、縦（前後）に延在するものと、横（左右）に延在するものと、斜めに延在するものと、が含まれる。
【００２４】
以下、側板部２０、３０の構成と、側板部２０、３０と底板部１０との連結構造（第１ヒンジ機構）と、側板部２０、３０と底板部１０との差込構造について説明する。これらの説明のうち、特に断らない場合の説明は、側板部２０、３０が底板部１０に対して起立した状態（図２（ｂ）〜（ｄ）、図３〜図８）についての説明である。
【００２５】
側板部２０と側板部３０は、互いに左右対称に形成されている。側板部２０、３０は、それぞれ平板状に形成された本体部２１、３１を有している。本体部２１、３１は、それぞれ板面が左右方向を向き、且つ、互いに平行に対向している。つまり、本体部２１、３１は、それぞれ、底板部１０の本体部１１に対して直交している。本体部２１、３１の側面形状は、矩形状（例えば前後に長い長方形状）となっている。
本体部２１、３１の前後寸法は、底板部１０の前後寸法とほぼ等しい。
本体部２１、３１の厚みは、起立壁部１２、１３の厚みと等しい。
なお、左右の側板部２０、３０の本体部２１、３１の内面（対向面）には、複数の補強リブ２８が形成されている（図６（ａ）、図７、図８）。
【００２６】
左右の側板部２０、３０の各々は、以下に説明する第１ヒンジ機構を介して左右の起立壁部１２、１３に対してそれぞれ回動可能に連結されている。これにより、側板部２０、３０は、起立壁部１２、１３の上に起立した状態と、本体部１１上に重なるように折り畳まれた状態と、に変換可能となっている。
左の側板部２０と起立壁部１２とを連結する第１ヒンジ機構と、右の側板部３０と起立壁部１３とを連結する第１ヒンジ機構は、互いに同様で左右対称のため、左の側板部２０と起立壁部１２とを連結する第１ヒンジ機構についてのみ詳述する。
【００２７】
第１ヒンジ機構は、側板部２０の下端部に形成された第１部分５０と、起立壁部１２に形成された第２部分６０と、からなる。例えば、第１部分５０は、側板部２０の前部と後部にそれぞれ形成され、第２部分６０は、起立壁部１２の前部と後部にそれぞれ形成されている。前側の第１部分５０は、前側の第２部分６０に対して連結され、後側の第１部分５０は、後側の第２部分６０に対して連結されている。
【００２８】
図７及び図８は、本体部１００を斜め後方且つ上方から見た斜視図である。図７では、背板部４０は底板部１０に対して折り畳み、側板部２０は底板部１０に対して起立させ、且つ、側板部２０の第１差込部５１を第１差込穴６１（何れも後述）の下部から上に引き抜いた状態を示す。図８は第１部分５０と第２部分６０とを分離させた状態を示す。
【００２９】
図７及び図８に示すように、第１部分５０は、側板部２０の下端部に形成された平板状の第１差込部５１と、この第１差込部５１に形成された連結軸５２（例えば前後一対の連結軸５２）と、を有する。
【００３０】
第１差込部５１は、側板部２０の本体部２１と平行に該本体部２１より下方に向けて突出し、板面が左右方向を向いている。第１差込部５１の厚みは、例えば、本体部２１よりも薄く設定されている。第１差込部５１の側面形状は、例えば、矩形状（例えば前後に長い長方形状）となっている。
【００３１】
前側の連結軸５２は、第１差込部５１の前端部の下端部より前方に向けて突出している。後側の連結軸５２は、第１差込部５１の後端部の下端部より後方に向けて突出している。
【００３２】
第２部分６０は、上向きに開口した形状に起立壁部１２に形成された第１差込穴６１と、この第１差込穴６１と連続的に形成された軸支穴６２（例えば、前後一対の軸支穴６２）と、第１差込穴６１の上部における一側部に形成された切欠形状部６３と、を有する。
なお、第１差込穴６１と第１差込部５１とにより第１差込構造が構成される。
【００３３】
第１差込穴６１は、第１差込部５１を上側から下向きに差し込み可能なスリット状の形状に形成されている。
【００３４】
前側の軸支穴６２は、第１差込穴６１の前側に隣接し、後側の軸支穴６２は、第１差込穴６１の後側に隣接している。これら軸支穴６２は、それぞれ上下方向に長尺な長穴形状に形成されている。なお、後側の軸支穴６２は図７及び図８に図示されていないが、第１差込穴６１を基準として、前側の軸支穴６２に対して前後対称に形成されている。前側の軸支穴６２には、前側の連結軸５２が軸支され、後側の軸支穴６２には、後側の連結軸５２が軸支される。
【００３５】
切欠形状部６３は、第１差込穴６１の上部における内側（対向する起立壁部１３側）の部位を切欠形状に形成することにより構成されている。第１差込穴６１の上部は、切欠形状部６３を介して、対向する起立壁部１３側に臨んでいる。
【００３６】
なお、前後の軸支穴６２の上端部６２ａ（図８）は、切欠形状部６３の下端部６３ａよりも、上に位置している。軸支穴６２の上端部６２ａと切欠形状部６３の下端部６３ａとの高低差は、第一差込部５１の厚みと連結軸５２の回転径とのうち大きい方よりも、大きく設定されている。
【００３７】
第１部分５０は、その第１差込部５１の下部を第１差込穴６１に差し込むとともに、前側の連結軸５２を前側の軸支穴６２に嵌め込み、且つ、後側の連結軸５２を後側の軸支穴６２に嵌め込むことによって、第２部分６０に対して連結されている（図７）。
これにより、第１部分５０を含む側板部２０の全体は、第２部分６０を含む底板部１０に対して、折り畳み及び展開可能に（開閉可能に）連結されている。具体的には、側板部２０が底板部１０に対して連結軸５２の軸周りに回転することにより、折り畳み及び展開可能となっている。よって、側板部２０は、底板部１０に対して起立した状態と、底板部１０に対して折り畳まれた状態と、に変換可能となっている。
【００３８】
側板部２０を底板部１０に対して折り畳む動作と、側板部２０を底板部１０に対して展開する動作（側板部２０を折り畳んだ状態から起立させる動作）は、図７に示すように連結軸５２及び第１差込部５１が切欠形状部６３の下端部よりも上に位置している状態（第１差込部５１が第１差込穴６１の下部から上に抜けた状態）において行うことができる。
【００３９】
側板部２０を底板部１０に対して折り畳む際の動作の方向（回転動作の方向）は、側板部２０が内向きに傾倒し（側板部２０が、それと対向する側板部３０側に倒れ）、側板部２０が底板部１０の上に折り重なる方向である。
ここで、起立壁部１２に切欠形状部６３が形成されているので、側板部２０が底板部１０に対して折り畳まれた際に、第１差込部５１の一部分が切欠形状部６３内に入り込む。よって、第１差込部５１と起立壁部１２とが干渉しない。
側板部２０は、例えば、その本体部２１が底板部１０の本体部１１と平行となるまで、底板部１０に対して折り畳み可能となっている。
ここで、側板部２０、３０と背板部４０とを底板部１０に対して折り畳んだ状態では、起立壁部１２、１３の上面が、商品収納装置１５０の上端面となる（図１（ｂ）参照）。そして、側板部２０、３０と背板部４０とを底板部１０に対して折り畳んだ状態の複数の商品収納装置１５０の本体部１００を上下に積み重ねたときに、下側の商品収納装置１５０の本体部１００の起立壁部１２、１３の上面に、上側の商品収納装置１５０の本体部１００の底板部１０の本体部１１の下面が接触する。よって、第１ヒンジ機構などの構造的に弱い部分に荷重が加わってしまうことを抑制し、商品収納装置１５０の損傷を抑制することができる。
【００４０】
側板部２０を底板部１０に対して起立させる（展開する）際にも、第１部分５０を含む側板部２０の全体が回動する。そして、側板部２０が底板部１０に対して直立した段階で、第１部分５０の第１差込部５１の外面（対向する側板部３０とは反対側を向く面）が、第１差込穴６１の上部の側壁（起立壁部１２において、第１差込穴６１の上部を基準として、切欠形状部６３とは反対側に位置する部位）に接触することによって、側板部２０の回動が規制される。
【００４１】
側板部２０が底板部１０に対して起立した状態で、側板部１０を底板部１０に対して相対的に下降させることにより、第１差込部５１を第１差込穴６１の下部（切欠形状部６３よりも下側の部位）に差し込むことができる。具体的には、例えば、側板部２０の本体部２１の下端面が起立壁部１２の上端面に接するまで、第１差込部５１を第１差込穴６１の下部に差し込み可能となっている（図２（ｃ）参照）。
【００４２】
第１差込穴６１の左右幅は、第１差込部５１の左右幅とほぼ等しく設定されている。第１差込部５１を第１差込穴６１の下部に差し込む際には、例えば、第１差込部５１の左右の側面が第１差込穴６１の左右の内面によりガイドされる。より具体的には、例えば、第１差込部５１の左右の側面が第１差込穴６１の左右の内面に対して摺動する。換言すれば、第１差込部５１は、第１差込穴６１の下部に対して嵌入される。よって、第１差込部５１を第１差込穴６１の下部に差し込んだ（具体的には嵌入させた）状態においては、側板部２０が底板部１０に対して折り畳まれる方向の挙動を規制することができる。
このように、側板部２０と底板部１０は、第１差込構造によって相互に結合されるので、側板部２０を底板部１０に対して起立した状態に維持させることができる。
【００４３】
第１差込部５１を第１差込穴６１の下部に差し込む動作に伴い、各連結軸５２は、それぞれ対応する軸支穴６２（上述のように長穴形状に形成されている）に沿って下に移動する。
【００４４】
図１（ａ）及び図１１に示すように、側板部２０の第１差込部５１の外側面（左側面）には、上下に延在するガイド溝５３（例えば、前後一対のガイド溝５３）が形成されている。
一方、図８及び図１１に示すように、第１差込穴６１の側壁において、ガイド溝５３と対応する位置には、それぞれ上下に延在するガイドリブ６４が形成されている。
【００４５】
第１差込部５１を第１差込穴６１の下部に差し込む動作に伴い、ガイドリブ６４とガイド溝５３とが互いに摺動しながら、ガイドリブ６４がガイド溝５３により上下方向にガイドされる。これにより、第１差込部５１を容易に下方向に真っ直ぐ差し込むことができる。
【００４６】
側板部２０と底板部１０とは、以下に説明する第２差込構造によっても相互に結合される。
【００４７】
第２差込構造は、例えば、側板部２０の下端部に形成された第２差込部２６と、上向きに開口した形状に起立壁部１２に形成された第２差込穴１２１と、からなる。
【００４８】
第２差込部２６は、側板部２０の本体部２１より下方に向けて突出している。第２差込部２６の厚みは、例えば、本体部２１よりも薄く設定されている。第２差込部２６は、本体部２１の下端面に沿って前後方向に延在する平板状の形状に形成されている。
例えば、前側の第１差込部５１と後側の第１差込部５１との中間の位置に、第２差込部２６が配置されている。
第２差込部２６の前後方向の長さは、例えば、第１差込部５１の前後方向の長さよりも長く、より具体的には、第１差込部５１の前後方向の長さの２倍よりも長い。
【００４９】
第２差込穴１２１は、起立壁部１２の上端面より上向きに開口するように起立壁部１２に形成されている。第２差込穴１２１は、第２差込部２６を上側から下向きに差し込み可能なスリット状の形状に形成されている。
【００５０】
側板部２０が底板部１０に対して起立した状態で、側板部２０を底板部１０に対して相対的に下降させて、第１差込部５１を第１差込穴６１の下部に差し込む動作に伴い、第２差込部２６が第２差込穴１２１に差し込まれる。
【００５１】
第２差込穴１２１の左右幅は、第２差込部２６の左右幅とほぼ等しく設定されている。第２差込部２６を第２差込穴１２１に差し込む際には、例えば、第２差込部２６の左右の側面が第２差込穴１２１の左右の内面によりガイドされる。より具体的には、例えば、第２差込部２６の左右の側面が第２差込穴１２１の左右の内面に対して摺動する。換言すれば、第２差込部２６は、第２差込穴１２１に対して嵌入される。よって、第２差込部２６を第２差込穴１２１の下部に差し込んだ（具体的には嵌入させた）状態においては、側板部２０が底板部１０に対して折り畳まれる方向の挙動を規制することができる。
このように、側板部２０と底板部１０は、第２差込構造によって相互に結合されるので、より強固に、側板部２０を底板部１０に対して起立した状態に維持させることができる。
ここで、第２差込穴１２１の一側部１２１ａ（対向する起立壁部１３側の部位）の高さは、切欠形状部６３の下端部６３ａの高さよりも高くなっている。よって、第２差込穴１２１に対する第２差込部２６の差し込み深さを十分に確保でき、第２差込部２６と第２差込穴１２１との連結強度を高めることができる。
【００５２】
図７に示すように、第１差込部５１を第１差込穴６１の下部から上に引き抜くと、第２差込部２６も第２差込穴１２１から上に引き抜かれ、且つ、第２差込部２６が起立壁部１２の上端面よりも上に浮いた状態となる。このように、第２差込部２６が起立壁部１２から離間するので、側板部２０を底板部１０に対して折り畳む際に、第２差込部２６が起立壁部１２と干渉しないようになっている。
【００５３】
また、右側の側板部３０についても、左側の側板部２０と同様に、第１ヒンジ機構を介して底板部１０の起立壁部１３に対して連結されているとともに、左側の側板部２０と同様に、第１差込構造及び第２差込構造によって起立壁部１３に対して結合可能となっている。
【００５４】
以下、背板部４０の構成と、背板部４０と底板部１０との連結構造（第２ヒンジ機構）と、について説明する。これらの説明のうち、特に断らない場合の説明は、背板部４０が底板部１０に対して起立した状態（図２（ｄ）、図３〜図６）についての説明である。
【００５５】
背板部４０は、平板状に形成された本体部４１を有している。本体部４１は、板面が前後方向を向いている。つまり、本体部４１は、底板部１０の本体部１１に対して直交し、且つ、側板部２０、３０の本体部２１、３１に対してもそれぞれ直交している。本体部４１の正面形状（及び背面形状）は、矩形状（例えば左右に長い長方形状）となっている。
背板部４０の左右幅は、底板部１０の左右幅とほぼ等しい。
背板部４０の上下寸法は、側板部２０の上下寸法と起立壁部１２の上下寸法とを合計した長さ（側板部３０の上下寸法と起立壁部１３の上下寸法とを合計した長さ）にほぼ等しい。
背板部４０は、左右対称に形成されている。
【００５６】
背板部４０は、底板部１０の後端部に対して、以下に説明する第２ヒンジ機構を介して連結されている。
【００５７】
この第２ヒンジ機構は、例えば、第１ヒンジ部と第２ヒンジ部とを含む。第１ヒンジ部と第２ヒンジ部の軸心方向は、互いに一致している。
【００５８】
第１ヒンジ部は、例えば、図９及び図４（ａ）に示すように、底板部１０に形成された左右一対のブラケット１９と、このブラケット１９に形成された連結穴１９１（図９）と、背板部４０に形成された連結軸４５と、を有する。
ブラケット１９は、底板部１０の本体部１１の後端部の上面より起立している。
連結穴１９１は、ブラケット１９を左右に貫通していても良いし、貫通していなくても良い（凹部形状でも良い）。
背板部４０の本体部４１の下端部において、ブラケット１９と対応する位置には、それぞれブラケット１９を収容する切欠形状部４７が形成されている。これにより、背板部４０とブラケット１９とが干渉しないようになっている。切欠形状部４７は、本体部４１を前後に貫通している。
連結軸４５は、切欠形状部４７の内空に向けて横方向に突出するように、本体部４１の下端部に形成されている。
連結軸４５は、ブラケット１９の連結穴１９１に対して軸支されている。
【００５９】
第２ヒンジ部は、底板部１０と背板部４０とを連結する左右一対の棒状部４８を有する。これら棒状部４８は、それぞれ左右方向に延在している。左側の棒状部４８は、背板部４０の下端部における左端部と、起立壁部１２とを、相互に回動可能に連結している。同様に、右側の棒状部４８は、背板部４０の下端部における右端部と、起立壁部１３とを、相互に回動可能に連結している。
【００６０】
なお、棒状部４８は、例えば、金属により構成されている。また、本体部１００において、棒状部４８以外の部分は、例えば、樹脂により構成されている。
【００６１】
背板部４０は、上記の第１及び第２ヒンジ部を介して底板部１０に対して回動可能に連結されていることにより、底板部１０に対して折り畳み及び展開可能（開閉可能）となっている。よって、背板部４０は、底板部１０に対して起立した（展開された）状態と、底板部１０に対して折り畳まれた状態と、に変換可能となっている。
背板部４０を底板部１０に対して折り畳む際の動作の方向（回転動作の方向）は、背板部４０が前傾し、背板部４０が底板部１０の上に折り重なる方向である。
背板部４０は、例えば、その本体部４１が底板部１０の本体部１１と平行となるまで、底板部１０に対して折り畳み可能である。
【００６２】
ここで、本体部１００を折り畳む際には、先に背板部４０を折り畳んだ後で、左右の側板部２０、３０を折り畳む。本体部１００を折り畳んだ状態では、図１に示すように、背板部４０の本体部４１の一部分の上に、側板部２０の本体部２１の一部分と、側板部３０の本体部３１の一部分と、が重なる。つまり、側板部２０、３０の各々は、本体部１１及び背板部４０の上に重なるように折り畳まれる。側板部２０、３０を折り畳んだ状態でも、側板部２０と側板部３０との間にはクリアランスがあり、側板部２０と側板部３０とは干渉しない。
【００６３】
また、背板部４０を本体部１１に対して平行に折り畳み可能であるとともに、側板部２０、３０を本体部１１に対して平行に折り畳み可能となるように、側板部２０、３０と起立壁部１２、１３とを連結している第１ヒンジ機構の回動軸は、背板部４０と本体部１１とを連結している第２ヒンジ機構の回動軸よりも高い位置に配置されている。本体部１１より起立する起立壁部１２、１３を設け、これら起立壁部１２、１３に対して側壁部２０、３０を軸支することによって、第１ヒンジ機構の回動軸と第２ヒンジ機構の回動軸との高低差を実現している。
【００６４】
本体部１００を組み立てる動作は、以下に説明する手順によって行うことができる。
先ず、左右の側板部２０、３０を底板部１０に対して起立させる（図２（ｂ））。
次に、側板部２０の各第１差込部５１を起立壁部１２の各第１差込穴６１の下部に差し込むとともに、側板部２０の第２差込部２６を起立壁部１２の第２差込穴１２１に差し込む。また、側板部３０の各第１差込部５１を起立壁部１３の各第１差込穴６１の下部に差し込むとともに、側板部３０の第２差込部２６を起立壁部１３の第２差込穴１２１に差し込む（図２（ｃ））。
次に、背板部４０を起立させる（図２（ｄ））。
こうして、本体部１００を組み立てることができる。
【００６５】
本体部１００を組み立てた状態では、以下に説明する係合構造によって側板部２０、３０と背板部４０とが係合し、背板部４０が直立状態よりも後傾してしまうことが規制されるようになっている。
【００６６】
この係合構造は、図２（ｂ）、（ｃ）、図１０に示すように側板部２０、３０にそれぞれ形成された係合爪（第１係合部）２７と、背板部４０に形成された係合穴（第２係合部）４３（図１０）と、を有する。
【００６７】
係合爪２７は、側板部２０において側板部３０と対向する部位の後端部と、側板部３０において側板部２０と対向する部位の後端部と、にそれぞれ形成されている。
側板部２０の係合爪２７は、側板部３０側に向けて（右方向に）起立する起立部２７１と、この起立部２７１の先端部より前方に向けて突出している前方突出部２７２と、を有するフック状の形状に形成されている。なお、起立部２７１の後端面は、本体部２１の後端面と面一となっている。
同様に、側板部３０の係合爪２７は、側板部２０側に向けて（左方向に）起立する起立部２７１と、この起立部２７１の先端部より前方に向けて突出している前方突出部２７２と、を有している。
【００６８】
係合穴４３は、それぞれ後方に向けて開口するように、背板部４０の左端部と右端部とに形成されている。左側の係合穴４３には、左側の係合爪２７が対応し、右側の係合穴４３には、右側の係合爪２７が対応している。
【００６９】
側板部２０、３０が起立し、且つ、背板部４０が起立した状態では、左右の係合爪２７がそれぞれ対応する係合穴４３に対して嵌入することにより係合する。このように、係合爪２７と係合穴４３とが相互に係合することによって、背板部４０の後傾が規制される。
より具体的には、一対の側板部２０、３０を底板部１０に対して起立させた状態で、背板部４０を起立させることにより、係合爪２７が係合穴４３に対して係合する。
【００７０】
ここで、背板部４０の背面において、係合穴４３に隣接する部位には、切欠形状部４４（図１０）が形成されている。すなわち、左側の係合穴４３の左側に隣接する部位と、右側の係合穴４３の右側に隣接する部位には、それぞれ切欠形状部４４が形成されている。そして、係合爪２７と係合穴４３とが係合した状態では、切欠形状部４４内に起立部２７１が入り込むようになっている。
これにより、本体部１００を組み立てた状態において、背板部４０の背面と、側板部２０、３０の後端面とを互いに面一にすることができる。
【００７１】
また、図１１及び図４（ｂ）に示すように、背板部４０の背面（折り畳まれた状態では上面）には、背板部４０及び側板部２０、３０が底板部１０に対して折り畳まれた状態で係合爪２７を収容する収容凹部４６が形成されている。
これにより、側板部２０、３０を折り畳んだ状態で、係合爪２７と背板部４０とが干渉しないようにできる。
【００７２】
次に、前側固定枠１１０について説明する。
【００７３】
前側固定枠１１０は、左右一対の側板部２０、３０が底板部１０に対して起立した状態で、側板部２０の前端部と底板部１０の前端部と側板部３０の前端部とに沿って本体部１００に固定される（図３〜図６参照）。
【００７４】
図１２に示すように、前側固定枠１１０は、第１乃至第３部分１１１、１１２、１１３を有している。
前側固定枠１１０が本体部１００に固定された状態で、第１部分１１１は底板部１０の前端部に沿って左右方向に延在し、第２部分１１２は側板部２０の前端部に沿って上下方向に延在し、第３部分１１３は側板部３０の前端部に沿って上下方向に延在する。
【００７５】
図１２（ｂ）に示すように、前側固定枠１１０には、その背面側に開口する凹部１１５、１１６が形成されている。すなわち、第１部分１１１には凹部１１５が形成され、第２及び第３部分１１２、１１３にはそれぞれ凹部１１６が形成されている。
【００７６】
また、左右一対の側板部２０、３０の前端部と、底板部１０の前端部には、それぞれ、前方に突出する突出部２５、１４（図１、図２）が形成されている。
【００７７】
すなわち、底板部１０は、前側固定枠１１０の第１部分１１１を底板部１０の前端部に対して固定するための突出部１４を有している。
突出部１４は、平板状に形成されている。突出部１４は、本体部１１と平行に、本体部１１の前端面より前方に突出している。突出部１４の平面形状は、左右に長尺な矩形状となっている。突出部１４の厚みは、本体部１１よりも薄く設定されている。
【００７８】
また、側板部２０は、前側固定枠１１０の第２部分１１２を側板部２０の前端部に対して固定するための突出部２５を有している。
突出部２５は、平板状に形成されている。突出部２５は、本体部２１と平行に、本体部２１の前端面より前方に突出している。側板部２０が起立した状態での突出部２５の側面形状は、上下に長尺な矩形状となっている。突出部２５の厚みは、本体部２１よりも薄く設定されている。
同様に、側板部３０は、前側固定枠１１０の第３部分１１３を側板部３０の前端部に対して固定するための突出部２５を有している。
【００７９】
側板部２０、３０の突出部２５をそれぞれ前側固定枠１１０の第２部分１１２、１１３の凹部１１６に嵌め込むとともに、底板部１０の突出部１４を第１部分１１１の凹部１１５内に嵌め込むことにより、前側固定枠１１０を側板部２０、３０の前端部と底板部１０の前端部とに沿って本体部１００に対して固定することができる。
【００８０】
前側固定枠１１０が本体部１００に固定されることにより、側板部２０、３０が底板部１０に対して折り畳まれる方向へ挙動することが規制される。つまり、前側固定枠１１０によっても、側板部２０、３０を起立した状態に維持させることができる。
【００８１】
ここで、突出部１４には、その突出方向に対する交差方向（例えば、下方）に向けて突出する係合突起１４１が形成されている（図１）。
同様に、突出部２５には、その突出方向に対する交差方向（横方向）に向けて突出する係合突起２５１が形成されている。例えば、左側の側板部２０の突出部２５の係合突起２５１は左方（側板部２０が起立した状態で左方）に突出し、右側の側板部２０の突出部２５の係合突起２５１は右方（側板部３０が起立した状態で右方）に突出している（図２（ｂ）〜（ｄ））。
一方、前側固定枠１１０には、前側固定枠１１０が本体部１００に固定された状態において、係合突起１４１、２５１とそれぞれ係合する係合穴１１４が、凹部１１５、１１６と連通して形成されている（図３（ｃ）、図４（ｂ）、図５（ｂ））。
係合突起１４１、２５１と係合穴１１４とが係合することにより、前側固定枠１１０が本体部１００の突出部１４、２５から抜けにくくなるようになっている。
【００８２】
図１３に示すように、側面パネル１３０は、平板状の本体部１３１と、この本体部の一方の面に形成された複数の係止爪１３２（例えば本体部１３１の４隅にそれぞれ配置された合計４つの係止爪１３２）と、を有している。
一方、側板部２０、３０の本体部２１、３１には、係止爪１３２をそれぞれ係止するための複数の係止穴２３が形成されている（図３（ｃ）参照）。
側面パネル１３０の係止爪１３２を側板部２０、３０の係止穴２３に係止することにより、側面パネル１３０を本体部１００の側面に取り付けて、本体部１３１によって側板部２０、３０を覆うことができるようになっている。
【００８３】
本体部１３１は、例えば、その材質や色などが側板部２０、３０とは異なり、本体部１３１の装飾性が側板部２０、３０のそれよりも高められている。
例えば、本体部１３１の他方の面（外面となる面）には、商品収納装置１５０に収納される商品のブランドイメージなどを表す装飾表示や、広告表示が印刷されている。
【００８４】
以下に説明するように、複数の商品収納装置１５０を上下方向に積み重ねることができるようになっている。図１４には、一例として、２つの商品収納装置１５０を積み重ねた状態を示している。
【００８５】
ここで、以下に説明する凹凸構造によって、下側の商品収納装置１５０（１５０ａ）と、上側の商品収納装置１５０（１５０ｂ）とが互いに水平方向に位置決めされるようになっている。
【００８６】
図３（ｃ）に示すように、側板部３０には、その本体部３１より上方に突出する位置決め用突起２２が形成されている。例えば、互いに前後方向に離間して複数（例えば３つ）の位置決め用突起２２が形成されている。各位置決め用突起２２は、前後方向に長尺に形成されている。
同様に、側板部２０にも、位置決め用突起２２が形成されている（図３（ａ）、（ｂ）参照）。
また、背板部４０には、その本体部４１より上方に突出する位置決め用突起４２が形成されている。例えば、互いに前後方向に離間して複数（例えば５つ）の位置決め用突起４２が形成されている。各位置決め用突起４２は、左右方向に長尺に形成されている。
このように、商品収納装置１５０の本体部１００の上端部には、位置決め用突起（第３係合部）２２、４２が形成されている。
【００８７】
一方、図４（ｂ）に示すように、底板部１０の本体部１１の下面には、位置決め用凹部１７、１８が形成されている。つまり、商品収納装置１５０の本体部１００の下端部には、位置決め用凹部（第４係合部）１７、１８が形成されている。
位置決め用凹部１７は、位置決め用突起２２と１対１で対応している。位置決め用凹部１８は、位置決め用突起４２と１対１で対応している。
【００８８】
複数の商品収納装置１５０を上下に積み重ねたときに、下側の商品収納装置１５０ａの位置決め用突起２２、４２が、上側に隣接する商品収納装置１５０ｂの対応する位置決め用凹部１７、１８内に嵌入することによって係合する。
これにより、上下に隣接する商品収納装置１５０ａ、１５０ｂが互いに水平方向（例えば、前後方向、左右方向を含む水平方向における全方向）に位置決めされる。
【００８９】
なお、複数の商品収納装置１５０を積み重ねる際には、最も上に位置する商品収納装置１５０以外の商品収納装置１５０（例えば図１４の商品収納装置１５０ｂ）には、天板１２０を取り付けない。
一方、最も上に位置する商品収納装置１５０（例えば図１４の商品収納装置１５０ａ）には、天板１２０を取り付けて、当該商品収納装置１５０の上端部を閉塞する。
【００９０】
図５及び図６（ａ）に示すように、天板１２０は、平板状に形成されている。天板１２０の平面寸法は、底板部１０の平面寸法とほぼ等しい。天板１２０は、底板部１０と平行に対向するように、本体部１００上に載置されて、該本体部１００上に装着される。
【００９１】
ここで、天板１２０の下面にも、底板部１０の下面と同様に位置決め用凹部１７、１８が形成されている（位置決め用凹部１８については図６（ａ）と図１４（ｃ）を参照。天板１２０の位置決め用凹部１７は図示略）。
そして、天板１２０を本体部１００上に載置することにより、本体部１００の位置決め用突起２２、４２が、天板１２０の対応する位置決め用凹部１７、１８内に嵌入することによって係合する。
これにより、天板１２０と本体部１００とが互いに水平方向に位置決めされるようになっている。
【００９２】
また、以下に説明する連結具を用いて、複数の商品収納装置１５０を横方向に連結することができるようになっている。
【００９３】
図１５に示すように、連結具は、例えば、ナット部材８２とボルト部材８１とからなる。
図１５（ａ）及び（ｂ）に示すように、ナット部材８２は、雌ネジが形成された本体部８２ａと、この本体部８２ａよりも大径に形成されたフランジ部８２ｂと、を有する。フランジ部８２ｂは、本体部８２ａの一端部に設けられている。
図１５（ｃ）及び（ｄ）に示すように、ボルト部材８１は、雄ネジが形成された本体部８１ａと、この本体部８１ａよりも大径に形成されたフランジ部８１ｂと、を有する。フランジ部８１ｂは、本体部８１ａの一端部に設けられている。
本体部８１ａは、本体部８２ａに対して螺入可能となっている。
【００９４】
一方、側板部２０の本体部２１には、該本体部２１を左右に貫通する貫通穴２４が形成され、同様に、側板部３０の本体部３１には、該本体部３１を左右に貫通する貫通穴２４が形成されている（図５（ｂ）、図６（ａ）、図１６参照）。
貫通穴２４の径は、本体部８２ａの径よりも大きく、フランジ部８１ｂ、８２ｂの径よりも小さい。
【００９５】
商品収納装置１５０を横方向に連結するには、図１６に示すように、複数の商品収納装置１５０を横方向に隣接して配置し、隣り合う商品収納装置１５０の側板部２０、３０の貫通穴２４を貫通するようにして連結具を取り付けることによって、側板部２０、３０を相互に連結する。
例えば、左右に隣接する商品収納装置１５０のうち、一方の商品収納装置１５０の側板部３０の内側から、該側板部３０の貫通穴２４と側板部２０の貫通穴２４とにナット部材８２の本体部８２ａを差し込み、且つ、他方の商品収納装置１５０の側板部２０の内側から、ボルト部材８１の本体部８１ａを本体部８２ａに螺入することにより、側板部２０、３０を相互に連結することができる。
【００９６】
図１７に示すように、マガジン７０は、上方に向けて開口する半筐体状の本体部７１と、この本体部７１の左右両端部の下面より下方に突出するブレード７２と、を有している。
本体部７１内には、複数のたばこ商品９０を縦置きで前後方向（図１７の左右方向）に一列に収納可能となっている。ここで、たばこ商品９０は、例えば、複数の紙巻たばこを収容している直方体状のパッケージである。
【００９７】
図１８に示すように、商品収納装置１５０の底板部１０上には、たばこ商品９０を収納した状態のマガジン７０を搭載可能となっている。
ここで、天板１２０を取り付けた状態の商品収納装置１５０の底板部１０上、又は、上側に他の商品収納装置１５０が積み重ねられた状態の商品収納装置１５０の底板部１０上に、たばこ商品９０を収納した状態のマガジン７０を容易に出し入れできるように、側板部２０、３０、起立壁部１２、１３及び背板部４０の上下寸法が適宜に設定されている。
【００９８】
以上のような実施形態によれば、商品収納装置１５０は、底板部１０と、底板部１０の左右両端部からそれぞれ起立する左右一対の側板部２０、３０と、を有しているので、底板部１０上にマガジン７０を搭載することによって、商品収納装置１５０にマガジン７０を収納することができる。
また、側板部２０、３０の各々は、底板部１０に対して起立した状態と、底板部１０に対して折り畳まれた状態と、に変換可能に、底板部１０に対して連結されているので、商品収納装置１５０を使用しない場合には、側板部２０、３０を底板部１０に対して折り畳んだ状態とすることによって、商品収納装置１５０の嵩張りを抑制することができる。
よって、商品収納装置１５０の搬送時（例えば、トラックに積載して搬送するときなど）や、商品収納装置１５０の保管時に、商品収納装置１５０の省スペース化が可能である。
また、側板部２０、３０の各々が底板部１０に対して直接連結されているので、底板部１０をその本体部１１が水平となるように配置した状態で、側板部２０、３０を起立させるという１つの動作を行うだけで、側板部２０、３０を底板部１０に対して起立した状態にすることができる。よって、商品収納装置１５０を迅速に組み立てることができる。
【００９９】
上記の実施形態では、商品収納装置１５０が背板部４０を有する例を説明したが、商品収納装置１５０は背板部４０を有していなくても良い。
【０１００】
また、上記においては、背板部４０が商品収納装置１５０の背面側を閉塞する例を説明したが、背板部４０を前後に貫通する開口を背板部４０に形成し、この開口を介してマガジン７０或いは商品を商品収納装置１５０の後方から出し入れできるように、商品収納装置１５０を構成しても良い。
【０１０１】
上記の実施形態では、第１部分５０（第１差込部５１及び連結軸５２）が側板部２０、３０に形成され、第２部分６０（第１差込穴６１、軸支穴６２及び切欠形状部６３）が底板部１０に形成されている例を説明したが、これとは逆に、第１部分５０が底板部１０に形成され、第２部分６０が側板部２０、３０に形成されていても良い。
或いは、第１部分５０が側板部２０、３０と底板部１０との双方に形成され、第２部分６０も側板部２０、３０と底板部１０との双方に形成されていても良い。
【０１０２】
同様に、第２差込構造についても、第２差込部２６が底板部１０に形成され、第２差込穴１２１が側板部２０、３０に形成されていても良い。
或いは、第２差込部２６が側板部２０、３０と底板部１０との双方に形成され、第２差込穴１２１も側板部２０、３０と底板部１０との双方に形成されていても良い。
【０１０３】
また、上記においては、たばこ商品が、複数の紙巻たばこを収容しているパッケージである例を説明したが、たばこ商品は、このパッケージを複数個（通常１０個）収容しているカートン（或いはパーセル））であっても良い。また、商品は、たばこ商品に限らず、定型、軽量、小型の各種の商品であれば良い。
以下、参考形態の例を付記する。
１．マガジンを支持する底板部と、前記底板部の左右両端部からそれぞれ起立する左右一対の側板部と、を有し、
前記側板部の各々は、前記底板部に対して起立した状態と、前記底板部に対して折り畳まれた状態と、に変換可能に、前記底板部に対して連結されていることを特徴とする商品収納装置。
２．前記側板部は、前記底板部に対して第１ヒンジ機構を介して連結されていることを特徴とする１．に記載の商品収納装置。
３．前記側板部の下端部と、前記底板部と、の何れか一方に形成された第１差込部と、
前記側板部の下端部と、前記底板部と、の何れか他方に形成された第１差込穴と、
を含む第１差込構造を有し、
前記側板部が前記底板部に対して起立した状態で、前記側板部を前記底板部に対して相対的に下降させることにより、前記第１差込部が前記第１差込穴に差し込まれ、前記側板部が前記底板部に対して折り畳まれる方向へ挙動することが規制されることを特徴とする２．に記載の商品収納装置。
４．前記第１ヒンジ機構は、
前記第１差込部と、
前記第１差込穴と連続的に形成され、前記第１差込部を軸支する軸支穴と、
を含んで構成されていることを特徴とする３．に記載の商品収納装置。
５．前記底板部は、
平板状に形成され水平に配置される本体部と、
前記本体部の左右両端部からそれぞれ起立している左右一対の起立壁部と、
を有し、
前記第１差込部は、前記側板部の下端部に形成され、
前記第１差込穴は、上向きに開口した形状に前記起立壁部に形成され、
前記側板部の各々は、前記起立壁部の上に起立した状態と、前記本体部上に重なるように折り畳まれた状態と、に変換可能に、前記起立壁部に対して前記第１ヒンジ機構を介して連結され、
前記第１ヒンジ機構は、前記起立壁部において前記第１差込穴の上部の一側部に形成された切欠形状部を更に有し、
前記側板部が前記底板部に対して折り畳まれた際に、前記第１差込部が前記切欠形状部内に入り込み、
前記側板部が前記底板部に対して折り畳まれた状態の複数の前記商品収納装置を上下に積み重ねたときに、下側の前記商品収納装置の前記起立壁部の上面に、上側の前記商品収納装置の下面が接触することを特徴とする３．又は４．に記載の商品収納装置。
６．前記側板部の下端部に形成された第２差込部と、
上向きに開口した形状に前記起立壁部に形成された第２差込穴と、
を含む第２差込構造を有し、
前記側板部が前記底板部に対して起立した状態で、前記側板部を前記底板部に対して相対的に下降させることにより、前記第２差込部が前記第２差込穴に差し込まれ、前記側板部が前記底板部に対して折り畳まれる方向へ挙動することが規制され、
前記起立壁部における前記第２差込穴の一側部の高さが、前記切欠形状部の下端部の高さよりも高いことを特徴とする５．に記載の商品収納装置。
７．前記底板部の後端部から起立する背板部を有し、
前記背板部は、前記底板部に対して起立した状態と、前記底板部に対して折り畳まれた状態と、に変換可能に、前記底板部に対して連結されていることを特徴とする１．乃至６．の何れか一つに記載の商品収納装置。
８．前記背板部は、前記底板部に対して第２ヒンジ機構を介して連結されていることを特徴とする７．に記載の商品収納装置。
９．前記底板部は、
平板状に形成され水平に配置される本体部と、
前記本体部の左右両端部からそれぞれ起立している左右一対の起立壁部と、
を有し、
前記背板部は、前記底板部の前記本体部に対して起立した状態と、前記本体部の上に重なるように折り畳まれた状態と、に変換可能に、前記本体部に対して前記第２ヒンジ機構を介して連結され、
前記側板部の各々は、前記起立壁部の上に起立した状態と、前記本体部及び前記背板部の上に重なるように折り畳まれた状態と、に変換可能に、前記起立壁部に対して第１ヒンジ機構を介して連結され、
前記第１ヒンジ機構の回動軸は、前記第２ヒンジ機構の回動軸よりも高い位置に配置され、前記背板部を前記本体部に対して平行に折り畳み可能であるとともに、前記側板部を前記本体部に対して平行に折り畳み可能であることを特徴とする８．に記載の商品収納装置。
１０．前記側板部には第１係合部が形成され、
前記背板部には第２係合部が形成され、
前記側板部が起立し、且つ、前記背板部が起立した状態で、前記第１係合部と前記第２係合部とが相互に係合し、前記背板部の後傾が規制されることを特徴とする７．乃至９．の何れか一つに記載の商品収納装置。
１１．前記第１係合部は、一対の前記側板部の互いに対向する部位の後端部にそれぞれ形成された係合爪であり、
前記第２係合部は、後方に向けて開口するように前記背板部に形成された係合穴であり、
一対の前記側板部を前記底板部に対して起立させた状態で、前記背板部を起立させることにより、前記係合爪が前記係合穴に対して係合することを特徴とする１０．に記載の商品収納装置。
１２．前記背板部の背面には、前記背板部及び前記側板部が前記底板部に対して折り畳まれた状態で前記係合爪を収容する収容凹部が形成されていることを特徴とする１１．に記載の商品収納装置。
１３．一対の前記側板部が前記底板部に対して起立した状態で、前記底板部の前端部と一対の前記側板部の前端部とに沿って固定される前側固定枠を有し、
前記前側固定枠が固定されることにより、一対の前記側板部が前記底板部に対して折り畳まれる方向へ挙動することが規制されることを特徴とする１．乃至１２．の何れか一つに記載の商品収納装置。
１４．前記前側固定枠には、その背面側に開口する凹部が形成され、
一対の前記側板部の前端部と、前記底板部の前端部には、それぞれ、前方に突出する突出部が形成され、
一対の前記側板部の前記突出部と、前記底板部の前記突出部とを、前記前側固定枠の前記凹部内に嵌め込むことにより、前記前側固定枠が一対の前記側板部の前端部と前記底板部の前端部とに沿って固定されることを特徴とする１３．に記載の商品収納装置。
１５．前記商品収納装置は、複数の前記商品収納装置を組み立てた状態で上下に積み重ね可能に構成され、
前記商品収納装置の上端部には第３係合部が形成され、
前記商品収納装置の下端部には第４係合部が形成され、
複数の前記商品収納装置を上下に積み重ねたときに、下側の前記商品収納装置の前記第３係合部が、その上側に隣接する前記商品収納装置の前記第４係合部と係合することにより、上下に隣接する前記商品収納装置が互いに水平方向に位置決めされることを特徴とする１．乃至１４．の何れか一つに記載の商品収納装置。
１６．横隣に配置された前記商品収納装置を相互に連結するための連結部を有し、
前記連結部は、
前記側板部を左右に貫通するように形成された貫通穴と、
横方向に隣り合う前記商品収納装置の前記側板部の前記貫通穴を貫通するようにして取り付けられ、これら側板部を相互に連結する連結具と、
を有することを特徴とする１．乃至１５．の何れか一つに記載の商品収納装置。
【符号の説明】
【０１０４】
１０ 底板部
１１ 本体部
１２ 起立壁部
１２１ 第２差込穴
１３ 起立壁部
１４ 突出部
１４１ 係合突起
１５ ブレード溝
１６ 補強リブ
１７ 位置決め用凹部
１８ 位置決め用凹部
１９ ブラケット
１９１ 軸支穴
２０ 側板部
２１ 本体部
２２ 位置決め用突起
２３ 係止穴
２４ 貫通穴
２５ 突出部
２５１ 係合突起
２６ 第２差込部
２７ 係合爪
２７１ 起立部
２７２ 前方突出部
２８ 補強リブ
３０ 側板部
３１ 本体部
４０ 背板部
４１ 本体部
４２ 位置決め用突起
４３ 係合穴
４４ 切欠形状部
４５ 連結軸
４６ 収容凹部
４７ 切欠形状部
４８ 棒状部
５０ 第１部分
５１ 第１差込部
５２ 連結軸
５３ ガイド溝
６０ 第２部分
６１ 第１差込穴
６２ 軸支穴
６２ａ 上端部
６３ 切欠形状部
６３ａ 下端部
６４ ガイドリブ
７０ マガジン
７１ マガジン本体
７２ ブレード
８１ ボルト部材
８１ａ  本体部
８１ｂ フランジ部
８２ ナット部材
８２ａ  本体部
８２ｂ フランジ部
９０ たばこ商品
１００ 本体部
１１０ 前側固定枠
１１１ 第１部分
１１２ 第２部分
１１３ 第３部分
１１４ 係合穴
１１５ 凹部
１１６ 凹部
１２０ 天板
１２１ａ 一側部
１３０ 側面パネル
１３１ 本体部
１３２ 係止爪
１５０ １５０ａ  １５０ｂ 商品収納装置
【図１】
0005848923.tif 000002
【図２】
0005848923.tif 000003
【図３】
0005848923.tif 000004
【図４】
0005848923.tif 000005
【図５】
0005848923.tif 000006
【図６】
0005848923.tif 000007
【図７】
0005848923.tif 000008
【図８】
0005848923.tif 000009
【図９】
0005848923.tif 000010
【図１０】
0005848923.tif 000011
【図１１】
0005848923.tif 000012
【図１２】
0005848923.tif 000013
【図１３】
0005848923.tif 000014
【図１４】
0005848923.tif 000015
【図１５】
0005848923.tif 000016
【図１６】
0005848923.tif 000017
【図１７】
0005848923.tif 000018
【図１８】
0005848923.tif 000019